(57)【要約】      （修正有）【課題】服類に付着した臭・埃・菌・花粉類を、家の中で取り除くことができる除去装置を提供する。【解決手段】本体１７にエアー吹き出し口１と２、エアー吸い込み口３と４を設けた内槽１６に服５を矢印１４から入れる。その状態で送風機１０を作動させ服５にエアー吹き出し口１と２から風を吹き付ける。吹き付けた風はエアー吸い込み口３と４からフィルター９へと進みろ過された後送風機１０へと進む。この循環の繰り返しで服に付いた埃・菌・花粉を取り除くことができる。【選択図】図−１
0003149190.tif 000002
【実用新案登録請求の範囲】
【請求項１】
本体１７の服５に風を吹き付け、その吹き付けた風を吸い込む作業を行う送風機１０と、吸い込んだ風をろ過するフィルター９と、フィルター９を交換するフィルター室６を設けた設備。
【請求項２】
送風機１０から送られた風を服５に吹き付ける為に、エアー管１１とエアー吹き出しボックス１８の左右２ヶ所に、エアー吹き出し口１とエアー吹き出し口２を設けた請求項１の装置。
【請求項３】
服５に吹き付けられた風を回収する為に、エアー吸い込みボックス１９の左右２ヶ所にエアー吸い込み口３とエアー吸い込み口４、又、吸い込んだ風をフィルター室入側７に送るエアー管１３を設けた請求項１の装置。
【請求項４】
フィルター室入側７に送られた風をろ過するフィルター９と、フィルター９を交換するフィルター室６と、風をフィルター室６から送風機１０に送り出すフィルター室出側８を設けた請求項１の装置。
【請求項５】
本体１７の側面矢印１４部分を開口し、服５を内槽１６に入れやすくした請求項１の装置。
【請求項６】
本体１７の上側矢印１５部分を開口して、服５を上下方向に移動できるようにした請求項１の装置。
【請求項７】
オゾン発生器２２から出るオゾンを送る為のオゾン管２３をエアー吹き出しボックス１８に接続した請求項１の装置。
【考案の詳細な説明】
【技術分野】
【０００１】  本考案は、服類に付着した臭・菌・花粉を一度に除去する装置に関するものである。
【背景技術】
【０００２】  服を着たままで風を送り服に付いた埃や花粉を取り除く大きな装置はある。又、家庭では家に帰って服を大きく振り服の埃や花粉を除くか、洗濯機に入れる事で埃や花粉を取り除いていた。
【考案の開示】
【考案が解決しようとする課題】
【０００３】  しかしながら大きな装置では一般の家庭ではむずかしく。又、家の中で服を大きく振ると埃や花粉が散乱してしまう。又、服の奥に入り込んだ埃や花粉類を振り払って外に出すのはむずかしい。
【課題を解決するための手段】
【０００４】  そこで、家庭に置ける大きさの本体１７に風を送りだす送風機１０を設け送風機１０からの風がエアー管１１を通り、エアー吹き出しボックス１８へと送り、エアー吹き出しボックス１８に設けたエアー吹き出し口１と２の両側から服に向かって風を吹き付ける。吹き付けた風はエアー吸い込みボックス１９に設けた両側エアー吸い込み口３と４からエアー管１３を通りフィルター室入側７へと進み、フィルター室６で取り外しできる袋状のフィルター９に風が入る。フィルター９に入った風はろ過され、フィルター室出側８から送風機１０の入側に入り込む。オゾン発生器２２から発生するオゾンがオゾン管２３を通り、循環した風と一緒にエアー吹き出し口１と２から服に吹き付ける。又、服５を本体１７の内槽１６の中に入れやすくする為に矢印１４の面を開口にする。又、入れた服を上下に動きやすくする為に矢印５の部分を開口にする。
【考案の効果】
【０００５】  送風機１０の吹き出しと吸い込みの強い力を利用して、エアー吹き出し口１と２の両側４ヶ所から服５に風を吹き付けて服５の奥にある埃・菌・花粉を吹き出す事ができる。【０００６】  オゾン発生器２２からのオゾンで吹き出された菌や臭を殺菌・消臭することができる。【０００７】  エアー吹き出し口を両側に設けることで、服５が大きく暴れたりすることが無い。【０００８】  服５を矢印１５方向に上下移動することで、服５に斑無く風を吹き付けることができる。又、エアー吹き出し口１と２を両側上下２段設けることで服の上下運動を半分に減らすことができる、【０００９】  エアー吸い込み口３と４を両側４ヶ所に設けることで、服５から吹き出された埃・菌・花粉をすぐ吸い込むことで服５の他の部分に埃が付着することが無い。又、内槽１６の外側へ風が漏れることが無い。【００１０】  吸い込んだ埃や花粉はフィルター９でろ過することでエアー吹き出し口１と２の風は綺麗である。【００１１】  矢印１４の面を開口にすることで服５の出し入れがし易くなり、内槽１６の清掃もし易くなる。
【考案を実施するための最良の形態】
【００１２】  本考案に係る服類の臭・菌・花粉の除去装置は、洋服・和服・スーツ・コートが入り掃除がしやすい材質の内槽１６を備え、その服類に強く風を吹き出す細長いエアー吹き出し口１と２を備え、吹き出した風をすぐに回収するための細長いエアー吸い込み口３を備える。又、下側に落ちた大きな埃は細長いエアー吸い込み口４で回収する。【００１３】  回収した風はエアー管１３を通りフィルター室６内のフィルター９へ送る。フィルター９は袋になっていて、この中で埃・菌・花粉をキャッチする。又、フィルター室６にはフィルター９を取り換えるためのフィルター室扉１２を設けて、定期的に取替えできるようにすると良い。フィルター９を通過する風は、すべての風がフィルターを通過するようにフィルター９の口をフィルター受け２１に密着させる。フィルター９は、花粉・菌をキャッチできる繊維とする。フィルター９でろ過された綺麗な風は送風機１０へと進みでエアー吹き出しボックス１８のエアー吹き出し口１・２へと風を送る。送風機１０は風を送る風量と風を吸い込む力が強くなくてはいけない。【００１４】  本体１７の内槽１６に服５を入れる際は、服５を矢印１４から入れる為矢印１４の部分を開口にする。又、服５に斑無く風を当てるために服５を上下に動かす必要から、内槽１６の上の部分を開口にすると良い。【００１５】  服５に付着した臭や菌を脱臭・殺菌する為、オゾン発生器２２からオゾンをエアー吹き出しボックス１８へ送り込んだら良い。
【産業上の利用可能性】
【００１６】  以上説明したように、外出先から帰った際と服に付いている埃・菌・花粉を手軽に取り除くことができ、部屋を清潔に保ち病気にならない生活を送ることができる。
【図面の簡単な説明】
【００１７】
【図１】  本考案の正面図及びＡ−Ａ断面図である。
【図２】  本考案の側面図及びＢ−Ｂ断面図である。
【符号の説明】
【００１８】    １  エアー吹き出し口    １１  エアー管            ２１  フィルター受
２  エアー吹き出し口    １２  フィルター室扉      ２２  オゾン発生器
３  エアー吸い込み口    １３  エアー管            ２３  オゾン管
４  エアー吸い込み口    １４  矢印
５  服                  １５  矢印
６  フィルター室        １６  内槽
７  フィルター室入側    １７  本体
８  フィルター室出側    １８  エアー吹き出しボックス
９  フィルター          １９  エアー吸い込みボックス
１０  送風機              ２０  フィルター口
【図−１】
0003149190.tif 000003
【図−２】
0003149190.tif 000004
【手続補正書】
【提出日】平成20年11月29日(2008.11.29)
【手続補正１】
【補正対象書類名】実用新案登録請求の範囲
【補正対象項目名】請求項１
【補正方法】変更
【補正の内容】
【請求項１】
本体１７の服５に風を吹き付け、その吹き付けた風を吸い込む作業を行う送風機１０と、吸い込んだ風をろ過するフィルター９と、フィルター９を交換するフィルター室６を設けた装置。
【手続補正２】
【補正対象書類名】実用新案登録請求の範囲
【補正対象項目名】請求項５
【補正方法】変更
【補正の内容】
【請求項５】
本体１７の側面を開口し、服５を内槽１６に入れやすくした請求項１の装置。
【手続補正３】
【補正対象書類名】実用新案登録請求の範囲
【補正対象項目名】請求項６
【補正方法】変更
【補正の内容】
【請求項６】
本体１７の上面を開口し、服５を上下方向に移動できるようにした請求項１の装置。